(57)【特許請求の範囲】
【請求項１】
例えば天井等に取り付けられるベースと、ベースの表面に取り付けられたセンサ部と、該センサ部を包囲するように取り付けられたカバーとを含んでいる検知装置において、
上記カバーまたはベースから突出する妨害カバー取付防止部材が設けられていることを特徴とする、検知装置。
【請求項２】
前記妨害カバー取付防止部材に対して力が加えられた場合に、これを検出するための検知回路が、妨害カバー取付防止部材に接続されていることを特徴とする、請求項１に記載の検知装置。
【請求項３】
前記検知装置が、前記カバーの取り外しまたは除去等を検出するためのタンパ用スイッチを備えていると共に、このタンパ用スイッチに前記妨害カバー取付防止部材が接続されていることを特徴とする、請求項１に記載の検知装置。
【請求項４】
前記妨害カバー取付防止部材が、前記センサ部に取り付けられていると共に、前記カバーを貫通して外部に突出していることを特徴とする、請求項１に記載の検知装置。
【請求項５】
前記妨害カバー取付防止部材が、外部に転回部を有するように導電材料から形成され、通電されることを特徴とする、請求項１に記載の検知装置。
【発明の詳細な説明】
【０００１】
【発明の属する技術分野】
本発明は、例えば、焦電素子への遠赤外線エネルギー量の変化を検出して、所定の検知領域内での侵入者等の存在を検知するための検知装置に関するものである。
【０００２】
【従来の技術】
従来、このような防犯用の検知装置は、例えば図３に示すように構成されている。
即ち、図３において、検知装置１は、例えば天井や壁面などに取り付けられるベース２と、ベース２の表面（即ち下面）に取り付けられたセンサ部３と、センサ部３を包囲するように取り付けられたカバー４とから構成されている。
【０００３】
センサ部３は、例えばパッシブセンサとして、物体から輻射される遠赤外線エネルギー量を検知する焦電素子から構成されており、検知視野５内に侵入した人間の移動によって起こる遠赤外線エネルギー量の変化を検出し、その変化に基づいて、侵入者等が検知され得るようになっている。
カバー４は、図示の場合、半球状に形成されており、赤外線を透過し得る材料から構成されている。
【０００４】
このような構成の検知装置１によれば、検知視野５内に侵入者等がいない場合には、検知視野５内からの遠赤外線エネルギー量の変化がないことから、焦電素子からは信号が出力されない。
【０００５】
この状態から、上記検知視野５内に侵入者等が入ると、この侵入者等によって焦電素子の受ける遠赤外線エネルギー量が変化する。この遠赤外線エネルギー量の変化を適宜に処理することによって、侵入者等の存在が検知され得ることになる。
【０００６】
【発明が解決しようとする課題】
ところで、このような構成の検知装置１においては、意図的に検知視野５を無効にするような障害物、例えばカバー４をそっくり覆ってしまうような妨害カバーが置かれると、検知視野５が遮られることになり、検知装置１が侵入者等を検知できなくなってしまうことになる。従って、図３に示すように、検知視野５の近傍（または検知装置１内）に赤外線反射式センサ６を設けておき、検知装置１の検知視野５内に画成される検知領域７内に障害物が在ることが検出され得るように構成される。
これにより、検知視野５を無効にしてしまう障害物の存在が、赤外線反射式センサ６によって検出され得るようになっている。
【０００７】
しかしながら、このような赤外線反射式センサ６による障害物の検出方法は、障害物が、例えば透明プラスチック，ガラス等の赤外線を透過し得る材料や、赤外線を吸収する黒色の物体等などの場合は、これらを検出することができないという重大な欠点があった。
【０００８】
また、このような赤外線反射式センサ６を利用した障害物検出方法は、赤外線反射式センサ６の検出信号を処理するための電気回路が必要となることから、回路構成が複雑になり、コストが高くなると共に、検知装置１全体が大型化してしまい、さらに消費電力が増大してしまうという問題があった。
【０００９】
本発明は、以上の点に鑑み、簡単な構成により、低コストで検知視野内の障害物を検出し得るようにした検知装置を提供することを目的としている。
【００１０】
【課題を解決するための手段】
上記目的を達成するため、請求項１に記載の発明によれば、例えば天井等に取り付けられるベースと、ベースの表面に取り付けられたセンサ部と、該センサ部を包囲するように取り付けられたカバーとを含んでいる検知装置において、上記カバーまたはベースから突出するように妨害カバー取付防止部材が設けられていることを特徴とする。
【００１１】
本発明による検知装置は、好ましくは、上記妨害カバー取付防止部材に対して力が加えられた場合に、これを検出するための検知回路が、妨害カバー取付防止部材に接続されている。
【００１２】
本発明による検知装置は、好ましくは、検知装置が、カバーの取り外しまたは除去等を検出するためのタンパ用スイッチを備えていると共に、このタンパ用スイッチに上記妨害カバー取付防止部材が接続されている。
【００１３】
本発明による検知装置は、好ましくは、上記妨害カバー取付防止部材が、センサ部に取り付けられていると共に、カバーを貫通して外部に突出している。
【００１４】
本発明による検知装置は、好ましくは、上記妨害カバー取付防止部材が、外部に転回部を有するように導電材料から形成され、通電される。
【００１５】
上記構成によれば、検知装置のカバーから外側に向かって、妨害カバー取付防止部材が突出しているので、意図的に検知装置の検知視野を無効にするために、カバーを覆う妨害カバーを取り付けようとしても、上記妨害カバー取付防止部材が邪魔になって、妨害カバーを取り付けることができない。
従って、検知装置は、妨害カバーによって妨げられることなく、常に侵入者等の検知を行なうことができることになる。
【００１６】
さらに、上記妨害カバー取付防止部材に対して力が加えられた場合に、これを検出するための検知回路が妨害カバー取付防止部材に接続されている場合には、妨害カバー取付防止部材があるにもかかわらず、この妨害カバー取付防止部材を取り除いて妨害カバーを取り付けようとしたとき、妨害カバー取付防止部材に対する引張り力，押し込み力等の力が加えられると、これが検知回路によって検出され得ることになる。
【００１７】
また、検知装置が、カバーの取り外しまたは除去等を検出するためのタンパ用スイッチを備えていると共に、このタンパ用スイッチに上記妨害カバー取付防止部材が接続されている場合には、カバーの取り外しまたは除去の検出と共に、妨害カバー取付防止部材の取り外しまたは除去がタンパ用スイッチによって検出され得ることになる。
【００１８】
さらに、上記妨害カバー取付防止部材が、外部に転回部を有するように導電材料から形成され、通電される場合には、妨害カバー取付防止部材が切断されたり除去されたときなどに、妨害カバー取付防止部材を流れる電流が遮断されることになるので、妨害カバー取付防止部材の切断または除去が、電流の監視により検出され得ることになる。
【００１９】
【発明の実施の形態】
以下、図面に示した実施形態に基づいて本発明を詳細に説明する。
図１は、本発明による検知装置の一実施形態を示しており、検知装置１０は、例えば天井或いは壁面等に取り付けられるベース１１と、ベース１１の表面（即ち下面）に取り付けられたセンサ部１２と、センサ部１２を包囲するように取り付けられたカバー１３とから構成されている。
【００２０】
センサ部１２は、例えばパッシブセンサとして、物体から輻射される遠赤外線エネルギー量を検知する焦電素子から構成されており、検知視野１４内に侵入した人間の移動によって起こる遠赤外線エネルギー量の変化を検出し、その変化に基づいて、侵入者等が検知され得るようになっている。
図示の場合、センサ部１２は、ベース１１に取り付けられ、上記焦電素子及び必要な回路が実装された回路基板１２ａと、この回路基板１２ａに隣接して配設された光学系１２ｂとから構成されている。これにより、焦電素子と光学系１２ｂにより、検知領域１４が画成され得るようになっている。
尚、図示の場合、回路基板１２ａ上には、カバー１３の開放または取り外しを検出するためのタンパ用スイッチ１２ｃが設けられている。
【００２１】
カバー１３は、図示の場合、半球状に形成されており、赤外線を透過し得る材料から構成されていると共に、センサ部１２の一部に対して蝶番１３ａにより揺動可能に支持されている。
【００２２】
以上の構成は、従来の検知装置１とほぼ同様の構成であるが、本発明実施形態による検知装置１０においては、さらに、妨害カバー取付防止部材１５が設けられている。
この妨害カバー取付防止部材１５は、図示の場合、カバー１３に引き抜き可能に保持されると共に、Ｕ字形に形成されており、その転回部１５ａがカバー１３を介して外部に突出し、カバー１３が閉じた状態で、二つの脚部のうち一方の脚部１５ｂがカバー１３によって固定され、且つ他方の脚部１５ｃが上述したタンパ用スイッチ１２ｃに当接するようになっている。
【００２３】
尚、妨害カバー取付防止部材１５は、他方の脚部１５ｃが丁度タンパ用スイッチ１２ｃに当接し得るように、カバー１３に対して長手方向に関して引き抜きまたは押し込みにより、適宜に調整され得るようになっている。
かくして、妨害カバー取付防止部材１５は、カバー１３から外部へ突出していることにより、カバー１３の外側に妨害カバー１６が被せられることを防止し得るようになっており、その形状，大きさは任意に決定され得る。
【００２４】
本発明実施形態による検知装置１０は、以上のように構成されており、検知視野１４内に侵入者等がいない場合には、遠赤外線エネルギー量の変化がないことから、焦電素子からは信号が出力されない。
【００２５】
この状態から、上記検知視野１４内に侵入者等が入ると、この侵入者等によって焦電素子の受ける遠赤外線エネルギー量が変化する。この遠赤外線エネルギー量の変化を回路基板１２ａ上に構成された処理回路により適宜に処理することによって、侵入者等の存在が検知され得ることになる。
【００２６】
ここで、意図的に検知視野１４を無効にするような障害物、例えばカバー１３をそっくり覆ってしまうような妨害カバー１６を取り付けようとした場合、検知装置１０には、カバー１３から外側に突出するように構成された妨害カバー取付防止部材１５が設けられているので、この妨害カバー取付防止部材１５が邪魔になって、妨害カバー１６を取り付けることは不可能である。
【００２７】
これに対して、さらに妨害カバー１６を取り付けるため、妨害カバー取付防止部材１５を取り外しまたは除去するために、妨害カバー取付防止部材１５をカバー１３から引き抜くように、引張り力を加えると、これにより、妨害カバー取付防止部材１５の他方の脚部１５ｃがタンパ用スイッチ１２ｃに当接し得なくなり、タンパ用スイッチ１２ｃが開放され、妨害カバー取付防止部材１５の引き抜きが検出され得ることになる。
【００２８】
図２は、本発明による検知装置の第二の実施形態を示している。
図２において、検知装置２０は、図１の検知装置１０とほぼ同様の構成であるが、妨害カバー取付防止部材２１が、転回部２１ａを有するＵ字形の導電材料から形成されていると共に、その双方の脚部２１ｂ，２１ｃが、回路基板１２ａに対して接続されることにより、常時通電され、その電流が回路基板１２ａ等に構成された監視回路によって監視されている点で、異なる構成になっている。
【００２９】
このような構成の検知装置２０によれば、検知範囲１４内での侵入者等の存在が、センサ部１２の回路基板１２ａ上に実装された焦電素子の遠赤外線エネルギー量の変化によって検知され得ると共に、カバー１３から外側に突出する妨害カバー取付防止部材２１の存在によって、妨害カバーの取付けが防止され得るようになっている。
【００３０】
これに対して、さらに妨害カバーを取り付けるため、妨害カバー取付防止部材２１を取り外しまたは除去するために、妨害カバー取付防止部材２１が切断されたり、引き抜かれたりすると、妨害カバー取付防止部材２１を流れる電流が遮断されることになり、上記監視回路によって検出され得る。
【００３１】
尚、上記第一の実施形態においては、妨害カバー取付防止部材１５は、引き抜きの場合に、タンパ用スイッチ１２ｃが開放され、妨害カバー取付防止部材１５の移動が検出され得るようになっているが、押し込みの場合にも、任意の検出手段によって、妨害カバー取付防止部材１５の移動が検出され得ると、より一層効果的である。
【００３２】
また、妨害カバー取付防止部材１５の移動の検出は、カバー１３の開放または除去を検出するためのタンパ用スイッチ１２ｃを利用するようになっているが、これに限らず、他の検出手段が設けられてもよく、またこのような検出手段が設けられていなくても、妨害カバーの取付防止の効果は得られる。
【００３３】
さらに、上記各実施形態においては、妨害カバー取付防止部材１５，２１は、カバー１３に引き抜き可能に取り付けられているため、カバーの交換によって取り付けられるが、これに限らず、ベース１１に取り付けられてもよく、またベース１１あるいは検知装置１０に隣接して別体に設けられてもよい。このような場合、従来の検知装置に対して、部品の交換無しに妨害カバー取付防止部材１５，２１を組み込むことができる。
【００３４】
また、上記実施形態においては、センサ部１２は、外部からの赤外線を受光する、所謂赤外線パッシブセンサとして構成されているが、これに限らず、赤外線発光素子及び赤外線受光素子を備えた、所謂反射式赤外線アクティブセンサや、超音波やマイクロ波のドップラー検出式センサであってもよいことは明らかである。
さらに、ベース１１は、例えば天井等に取り付けられるように説明されているが、これに限らず垂直あるいは斜めの壁面等に取り付けられてもよいことは明らかである。
【００３５】
【発明の効果】
以上述べたように、本発明によれば、検知装置のカバーから外側に向かって、妨害カバー取付防止部材が突出しているので、意図的に検知装置の検知視野を無効にするために、カバーを覆う妨害カバーを取り付けようとしても、上記妨害カバー取付防止部材が邪魔になって、妨害カバーを取り付けることができない。
従って、検知装置は、妨害カバーによって妨げられることなく、常に侵入者等の検知を行なうことができることになる。
かくして、本発明によれば、簡単な構成により、低コストで、検知視野内の障害物が検出され得るようにした、極めて優れた検知装置が提供される。
【図面の簡単な説明】
【図１】本発明による検知装置の一実施形態を示す概略断面図である。
【図２】本発明による検知装置の他の実施形態を示す概略断面図である。
【図３】従来の検知装置の一例を示す概略断面図である。
【符号の説明】
１０    検知装置
１１    ベース
１２    センサ部
１２ａ  回路基板
１２ｂ  光学系
１２ｃ  タンパ用スイッチ
１３    カバー
１３ａ  蝶番
１４    検知範囲
１５    妨害カバー取付防止部材
１５ａ  転回部
１５ｂ，１５ｃ  脚部
１６    妨害カバー
２０    検知装置
２１    妨害カバー取付防止部材
２１ａ，２１ｂ  脚部
【図１】
0003635386.tif 000002
【図２】
0003635386.tif 000003
【図３】
0003635386.tif 000004